(57)【要約】      （修正有）【課題】新規な盤ゲームセットを提供する。【解決手段】適宜サイズのマス目をその表面に多数連設した平板状もしくはシート状のゲーム盤１を設けるとともに、平行平面を有するブロック状の２色の駒を複数個同数設けるとともに、同色駒について、その一方の平面に数を意味する１から６の点状部を各々表現し、他方の平面に数を意味する１から６の点状部を表現するとともに、表と裏の点状部の合計数が７となるよう点状部を選択して表現し、以上の駒を数駒１２として、一方、数駒１２と別色のゴールキーパー駒１６を設け、以上のゲーム盤１と数駒１２およびゴールキーパー駒１６との組み合わせよりなることを特徴とする。【選択図】図１０
0003180277.tif 000002
【実用新案登録請求の範囲】
【請求項１】
適宜サイズのマス目をその表面に多数連設した平板状もしくはシート状のゲーム盤を設けるとともに、平行平面を有するブロック状の２色の駒を複数個同数設けるとともに、同色駒について、その一方の平面に数を意味する１から６の点状部を各々表現し、他方の平面に数を意味する１から６の点状部を表現するとともに、表と裏の点状部の合計数が７となるよう点状部を選択して表現し、以上の駒を数駒として、一方、数駒と別色のゴールキーパー駒を設け、以上のゲーム盤と数駒およびゴールキーパー駒との組み合わせよりなることを特徴とする盤ゲームセット。
【請求項２】
ゲーム盤のマス目を縦１２列と横１０列とし、このマス目内にセンターエリアおよびキーパーエリアからなる特定エリアを設けてなる請求項１記載の盤ゲームセット。
【請求項３】
ゲーム盤のマス目に接して突出するキーパー枠を設けてなる請求項１または２記載の盤ゲームセット。
【考案の詳細な説明】
【技術分野】
【０００１】  この考案は、専用の盤と駒を用いる新規に発案した盤ゲームセットに関する。
【背景技術】
【０００２】  従来より、種々の盤ゲームが多用されているが、本案にて示すような新規な盤と専用の駒を用いる盤ゲームセットは見あたらない。
【考案の概要】
【考案が解決しようとする課題】
【０００３】  盤ゲームは古来より親しまれており、日本では囲碁、将棋、オセロ、チェスその他多くの盤ゲームが存在し、各々専用の駒等を用いてプレイしている。今般、創案したのは二人でプレイする盤ゲームであり、そのゲームに用いる専用の駒および専用の盤を権利化せんとするものである。
【課題を解決するための手段】
【０００４】  課題を解決する手段として本案は以下の構成とした。
すなわち、適宜サイズのマス目をその表面に多数連設した平板状もしくはシート状のゲーム盤を設けるとともに、平行平面を有するブロック状の２色の駒を複数個同数設けるとともに、同色駒について、その一方の平面に数を意味する１から６の点状部を各々表現し、他方の平面に数を意味する１から６の点状部を表現するとともに、表と裏の点状部の合計数が７となるよう点状部を選択して表現し、以上の駒を数駒として、一方、数駒と別色のゴールキーパー駒を設け、以上のゲーム盤と数駒およびゴールキーパー駒とを組み合わせる。本案は以上の構成よりなる盤ゲームセットである。
【考案の効果】
【０００５】  本案ゲームは以下の効果を有する。
１．ゲームルールがシンプルなので、誰でも容易に覚えてゲームを楽しむことができる。
２．勝負は数駒の相手キーパー枠内への侵入まで判定せず、一発逆転の楽しみがある。
３．勝敗がつくまで比較的短時間なので、限られた時間でも何回も楽しむことができる。
【図面の簡単な説明】
【０００６】
【図１】  本考案のゲーム盤の平面図
【図２】  本考案の数駒（１を表す）の拡大平面図
【図３】  本考案の数駒（１を表す）の拡大正面図
【図４】  本考案の数駒（２を表す）の拡大平面図
【図５】  本考案の数駒（３を表す）の拡大平面図
【図６】  本考案の数駒（４を表す）の拡大平面図
【図７】  本考案の数駒（５を表す）の拡大平面図
【図８】  本考案の数駒（６を表す）の拡大平面図
【図９】  本考案のゴールキーパー駒の拡大平面図
【図１０】  本考案の駒の配置例図（対局開始前）
【図１１】  本考案の駒の機能説明図
【図１２】  本考案の駒の機能説明図
【図１３】  本考案の駒の機能説明図
【図１４】  本考案の駒の機能説明図
【図１５】  本考案の駒の禁止事項説明図
【図１６】  本考案の駒の禁止事項説明図
【考案を実施するための最良の形態】
【０００７】  以下、本考案の実施形態について説明する。
本ゲームは７種一対の駒と１枚の盤を用いて二人でプレイするものである。
１は本ゲームに用いるゲーム盤で、ラシャ布地面に縦１２列横１０列の四角枠状のマス目２を連設している。盤中央の縦８列横６列のマス目部分はセンターエリア３として、センターエリアにつながる縦４列横２列のマス目部分はキーパーエリア４として用いられる。その他のマス目部分は通常エリア５である。また、センターエリアとキーパーエリアを囲む部分は太線にて表現される。これらのエリアの最外郭部分を除いてマス目を表す線の交差部分には黒点が表現される。なお、キーパーエリアにつながる突出した２マス分面積の小四角部分はキーパー枠６である。
図２〜図９は、本ゲームに用いる駒である。これらの駒は、平面視円形正面視横長長方形の短円柱形であり、その一方の平面に、サッカーボールを模した模様と駒を識別する数字を示すドットとして、１〜６が各駒ごとに表現される。他方の平面にも同様の模様とドットが表現されるが、上下双方の数の合計がサイコロと同じように７となるよう設けられる。以上の各駒は、数別に４個ずつ設けられ、また赤駒と青駒とが同数設けられる。
駒色は任意に決めてよいが、本例では黄色を地色とし、赤駒は赤の模様とドット、青駒は青の模様とドットにて表現した。以上の駒とは別に、ゴールキーパー駒（以下、キーパー駒と略称する）が各１個設けられる。このキーパー駒は地色を金色とし、その一方の平面にＧＫなる文字が、赤駒は赤で、青駒は青にて表現される。
なお、図中にて赤駒は太線にて、青駒は細線にて表現している。【０００８】  次に、本ゲームの進行について説明する。
まず、ゲーム盤を向かい合う対局者にキーパー枠が各々手前に来るようにおく。
対局者は赤駒もしくは青駒のいずれかを自駒とするかを決めて、盤上に自駒を並べる。
この並べる駒位置は、図１０にて示すように、手前側の通常エリア二列に並べる。
また、キーパー駒を自陣のキーパー枠内に置く。
そして、まず先攻側が空きマスに接している自駒のいずれかを選択して、移動を開始する。後攻側も同様に自駒を動かしていく。
本ゲームのルール等は以下の通りである。
１．先攻側より、配列駒上段の任意に選択した駒より駒の移動を行い、先攻と後攻が交互に自駒を動かしていく。
２．駒の移動は、数駒の表面ドット数に対応するマス目数を移動する。
３．駒が必要分移動して停止したとき、その駒を反転させる。
４．自駒および相手駒を飛び越えての移動はできない。
５．通常エリア内の駒移動は、縦横斜めのいずれも可能。
６．センターエリア内の駒移動は斜め方向のみ可能。
７．通常エリアとセンターエリアを駒は行き来できるが、その場合は斜め方向のみ可能。
８．自駒の移動後に停止場所に相手駒があるときは、その相手駒を盤上から除去することができる。
９．キーパー駒はキーパー枠内であれば、数駒を飛び越えての移動が可能であり、（１回１移動）相手駒を捕獲して除去することができる。キーパー駒は除去されない。
１０．盤上より除去した数駒は盤外に溜めおく。
１１．相手の数駒およびキーパー駒を避けて、相手のキーパー枠内に自駒を進めて（ゴール）自陣の勝ちとなる。
１２．ゴールとなった数駒の表す数が勝ち点となる。また、相手駒が先にすべて盤上から無くなったときは、無駒勝ち（１点）となる。
１３．数駒移動において、盤上にてのＵターンはできない。（図１５）
１４．数駒移動において、踏み跡通過はできない。（図１６）
このようにして勝敗が決し、また駒を並べ直して再プレイすることができる。【０００９】  図１１〜図１４はゲーム進行における駒の機能説明図である。
図１１において、手前が青側の自陣、向こうが赤側の相手陣である。左から２マス目の自陣側の数駒（表示数３）を動かして前方へ３マス分進めて停止となり、駒は裏返って数駒（表示数４）となる。相手駒のこの部分への動きがないときは、この数駒を前方に４マス進めると、相手駒（表示数６）の位置となるので、この相手駒を捕獲除去し、再び反転して（表示数３）の数駒となる。
図１２では、相手のキーパー枠に近づいて自陣の数駒（表示数３）が位置し、手番の時は横に１マス、斜めに１マス、前方に１マス進んでキーパー枠内に入り込み、ゴール達成となり、勝ち点３となる。
図１３では、自陣駒（表示数５）が図中の数字のごとく進んで、５の位置に至り、裏返って数駒表示は２となる。すると、点線にて示す３通りの進行のいずれかが可能となり、相手の３種の駒のうち相手駒の動きがなければ任意の駒を捕獲できる。また、１度に複数駒の移動は不可なので、必ずいずれかの相手駒を捕獲して盤上より除去することができる。
図１４では、自駒が３マス進んだとき、相手駒が図示のように４マス進んで自駒は捕獲される。
図１５〜図１６は駒移動の禁止事例である。図１５はＵターン移動禁止を示すもので、駒進行の３から４に至る動きはＵターンとなり、禁止される。図１６は踏み跡禁止を示すもので、駒進行の４から５に至る動きは１から２に至る動きと同じとなるので、禁止される。【００１０】  本ゲームは、数駒を相手のキーパー枠内に侵入させてゴールとなるものであり、キーパー枠内の相手数駒をまず除去することが必要となる。しかし、キーパー枠内にとどまった場合は、相手のキーパー駒にて除去されてしまう。これらの駆け引きにより、本ゲームの面白さが発揮される。
盤ゲームは通常、盤とこの盤上に配置される駒とから成り立ち、そのゲーム特有のルールにて駒を操作して勝敗を競うものである。広く親しまれている将棋を例に取ると、王または玉を護るゲームであり、飛車、角行、金、銀、桂馬、香車、歩の駒を使い、各駒特有の性質を有して、この性質つまり移動機能の違いをまず頭に入れてからでなければゲームを進めることができないのであるが、各駒にその移動機能の表示はなく、あらかじめ学んでおく必要があって、覚えるまでにそれなりのトレーニングが必要である。
一方、オセロゲームは挟んだ相手駒を裏返して自陣駒とするシンプルなゲームであり、一発逆転の要素もあるが、駒特有の性質と差異は存在しない。
これに対し本案ゲームは、数駒のキーパー枠内への侵入（ゴール）による一発逆転の要素を含んで誰でも楽しめるものとなっている。また、対局中にどの駒をどのように配置し、かつどのように動かすかを考える要素も含んで頭脳トレーニングにも適している。
ゲームルールはシンプルなので、比較的短時間で勝敗が決して、限られた時間内でもゲームを楽しむことができる。なお、既述の例は実施の一例であって、盤のサイズやマス目の数、駒の形状等は適宜に変更して制作してもよい。以上のごとく、本案によって斬新でありながら覚えやすく、老若男女誰でも楽しめるとともに一発逆転の要素も含んだ新たなる盤ゲームを得ることができる。
【符号の説明】
【００１１】  １  ゲーム盤
２  マス目
３  センターエリア
４  キーパーエリア
５  通常エリア
６  キーパー枠
１０〜１５  数駒
１６  ゴールキーパー駒
【図１】
0003180277.tif 000003
【図２】
0003180277.tif 000004
【図３】
0003180277.tif 000005
【図４】
0003180277.tif 000006
【図５】
0003180277.tif 000007
【図６】
0003180277.tif 000008
【図７】
0003180277.tif 000009
【図８】
0003180277.tif 000010
【図９】
0003180277.tif 000011
【図１０】
0003180277.tif 000012
【図１１】
0003180277.tif 000013
【図１２】
0003180277.tif 000014
【図１３】
0003180277.tif 000015
【図１４】
0003180277.tif 000016
【図１５】
0003180277.tif 000017
【図１６】
0003180277.tif 000018